(57)【要約】【課題】無線ＩＣタグが添付された対象物の詳細情報を得るために、ネットワーク機器から情報サーバにアクセスする通信経路の一部に、例えば実効レートで２４００ｂｐｓ程度の特定小電力無線通信を用いたような帯域の非常に狭い通信部分が存在した場合、その通信部分がボトルネックとなり、システム全体の応答性能が著しく落ちる、あるいは、一定時間内に処理できる対象物の詳細情報量が非常に少なくなってしまう。【解決手段】無線ＩＣタグ２の中継装置２０は、対象物１に添付された無線ＩＣタグ２のコード情報を読み取る読取手段３を具備した乾燥装置１０から前記コード情報を受信し、前記コード情報を元にネットワーク上の情報サーバ５０にアクセスして対象物１に関する詳細な情報を取得し、前記詳細な情報より乾燥装置１０にとって必要とされる情報だけを選別して伝達する。【選択図】図１
2006217323.tif 000002
【特許請求の範囲】
【請求項１】
対象物に添付された無線ＩＣタグのコード情報を読み取る読取手段を具備したネットワーク機器から前記コード情報を受信し、前記コード情報を元にネットワーク上の情報サーバにアクセスして前記対象物に関する詳細な情報を取得し、前記詳細な情報より前記ネットワーク機器にとって必要とされる情報だけを選別して、前記ネットワーク機器に伝達することを特徴とする中継装置。
【請求項２】
ネットワーク機器との間で、前記ネットワーク機器が必要とする情報を登録することを特徴とする請求項１記載の中継装置。
【請求項３】
ネットワーク機器が複数の動作モードを具備し、前記動作モードが変更された時点で、前記ネットワーク機器との間で前記ネットワーク機器が必要とする情報を登録することを特徴とする請求項１記載の中継装置。
【請求項４】
記憶手段を具備し、コード情報に対応した詳細な情報、または、前記詳細な情報の中からネットワーク機器に必要な情報だけを選別したものを、前記記憶手段にて記憶することを特徴とする請求項１記載の中継装置。
【請求項５】
請求項１〜４のいずれか記載の中継装置において少なくともひとつの機能をコンピュータに実行させるためのプログラム。
【発明の詳細な説明】
【技術分野】
【０００１】
本発明は、無線ＩＣタグのコード情報を基に情報サーバへアクセスして詳細情報を取得する中継装置とそのプログラムに関するものである。
【背景技術】
【０００２】
無線ＩＣタグの家電分野への応用が検討されており、特許文献１のように物品に添付された無線ＩＣタグのコード情報に基づいて、ネットワークを経由して情報サーバにアクセスして、対象物の製造元などの詳細情報を取得する方式が考案されている。
【特許文献１】特開２００３−１５７４７７号公報
【発明の開示】
【発明が解決しようとする課題】
【０００３】
しかしながら、このように取得した詳細情報はかなり大きな情報量となるため、情報サーバにアクセスする通信経路の一部に、例えば実効レートで２４００ｂｐｓ程度の特定小電力無線通信（以下、特小無線通信）を用いたような帯域の非常に狭い通信部分が存在した場合、その通信部分がボトルネックとなり、システム全体の応答性能が著しく落ちる、あるいは、一定時間内に処理できる対象物が非常に少なくなってしまうことが予想される。
【０００４】
特小無線通信は家庭内に設置されるネットワーク機器（ネットワーク家電）と中継装置の間に用いられることが多く、このようなネットワーク機器が無線ＩＣタグの情報活用を行う際には大きな課題となる。
【課題を解決するための手段】
【０００５】
そこで、前記の課題を解決するために、本発明の中継装置とそのプログラムは、対象物に添付された無線ＩＣタグのコード情報を読み取る読取手段を具備したネットワーク機器から前記コード情報を受信し、前記コード情報を元にネットワーク上の情報サーバにアクセスして前記対象物に関する詳細な情報を取得し、前記詳細な情報より前記ネットワーク機器にとって必要とされる情報だけを選別して、前記ネットワーク機器に伝達するようにした。
【発明の効果】
【０００６】
これにより、情報サーバにアクセスする通信経路の一部に、例えば特小無線通信を用いたような帯域の非常に狭い通信部分が存在した場合でも、その通信部分を通過する情報量を必要最低限に絞り込むことにより、その通信部分がボトルネックとならず、システム全体の応答性能が著しく落ちることもなく、あるいはまた、一定時間内に処理できる対象物が非常に少なくなってしまうことも回避できる。
【発明を実施するための最良の形態】
【０００７】
第１の発明は、中継装置において、対象物に添付された無線ＩＣタグのコード情報を読み取る読取手段を具備したネットワーク機器から前記コード情報を受信し、前記コード情報を元にネットワーク上の情報サーバにアクセスして前記対象物に関する詳細な情報を取得し、前記詳細な情報より前記ネットワーク機器にとって必要とされる情報だけを選別して、前記ネットワーク機器に伝達するようにした。
【０００８】
これにより、無線ＩＣタグの情報サーバにアクセスする通信経路の一部に、帯域の狭い通信部分が存在した場合でも、その通信部分を通過する情報量を必要最低限に絞り込むことにより、その通信部分がボトルネックとならず、システム全体の応答性能が著しく落ちることもなく、あるいはまた、一定時間内に処理できる対象物が非常に少なくなってしまうことも回避できる。
【０００９】
第２の発明は、特に第１の発明の中継装置において、ネットワーク機器との間で前記ネットワーク機器が必要とする情報を登録するようにした。
【００１０】
これにより、ネットワーク機器が必要とする情報だけが中継装置により選別され、ネットワーク機器に送られる。
【００１１】
第３の発明は、特に第１の発明の中継装置において、ネットワーク機器が複数の動作モードを具備し、前記動作モードが変更された時点で、前記ネットワーク機器との間で前記ネットワーク機器が必要とする情報を登録するようにした。
【００１２】
これにより、ネットワーク機器の動作モードに応じて、その時点で必要とする情報だけが中継装置により選別され、ネットワーク機器に送られる。
【００１３】
第４の発明は、特に第１の発明の中継装置において、記憶手段を具備し、コード情報に対応した詳細な情報、または、前記詳細な情報の中からネットワーク機器に必要な情報だけを選別したものを、前記記憶手段にて記憶するようにした。
【００１４】
これにより、過去に取得したことのある無線ＩＣタグの詳細情報については記憶手段に残っているので、何度も無線ＩＣタグの情報サーバにアクセスする必要が無くなり、迅速な処理も期待できる。
【００１５】
第５の発明は、特に第１〜４記載のいずれかの発明の中継装置において、少なくともひとつの機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の少なくとも一部をプログラムとして容易に実現することができる。また記録媒体に記録あるいは、通信回線を用いてプログラム配信することにより、プログラム配布が他の手段に比べて極めて簡単に実現できる。
【００１６】
以下、本発明の実施の形態について、図面を用いて一実施形態について詳細に説明する。なお、この実施の形態によって本発明が限定されるものではない。
【００１７】
（実施の形態１）
図１は本発明の無線ＩＣタグの情報サーバへの中継装置とそのプログラムの構成一例を示す図である。ここではネットワーク機器の一例として、乾燥装置１０を用いて説明を進める。
【００１８】
最初に乾燥装置１０について説明する。乾燥装置１０は、乾燥対象物１を乾燥させる装置であり、乾燥対象物１に添付された無線ＩＣタグ２の情報を読み取る読取手段３、制御手段４ａ、乾燥促進手段５、特小無線通信手段６ａを具備する。
【００１９】
乾燥装置１０は乾燥促進手段５にて、乾燥すべき乾燥対象物１の乾燥を熱風などで促進し、この乾燥促進手段５は制御手段４ａによって熱風温度や風量などが制御される。乾燥には加熱を伴うので、例えば麻や綿などのように耐熱温度の高い材質であれば高温で乾燥させても構わないが、ナイロンや加工品には熱に弱いものがあるため注意を要する。こういった乾燥対象物１ごとに設定された耐熱温度を予め知っておくことで、その温度に応じて乾燥温度を制御すれば、大切な衣類を傷めたりすることなく、効率良く乾燥させることが出来る。
【００２０】
そのために、乾燥対象物１に添付された無線ＩＣタグ２からコード情報を活用することが考えられる。コード情報は文字通り、６４〜１２８ビット程度の数字列で表現される数値情報であって、このコード情報だけでは乾燥に関する具体的な情報が得られない場合には、このコード情報を基にしてインターネット上のサーバにアクセスして、そもそも「対象物が乾燥機で乾かしても良いものか」、あるいは、「乾燥可能ならば乾燥温度は何度が適当であるか」、あるいは「耐熱温度は何度であるか」という乾燥に関する情報を取得する必要がある。このような情報を元に、乾燥装置１０に具備された制御手段４ａが乾燥促進手段５を制御して、より適切な乾燥を行うことが出来るので、上記のような情報を取得することは大変有益である。
【００２１】
なお、複数の条件の異なる洗濯対象物に対しては、最も条件の厳しいものに合わせて対象物の破壊を防ぐことも期待できる。ただし、本発明は乾燥機の動作に関するものではないため、ここでは乾燥方法に関しての説明は省略する。
【００２２】
ここで述べているような詳細な情報取得を主体的に行うのが中継装置２０であり、以下ではこの中継装置２０についての動作を説明する。
【００２３】
中継装置２０は特小無線通信手段６ｂを具備し、この特小無線通信手段６ｂを介して乾燥装置１０に具備された特小無線通信手段６ａと通信を行う。すなわち乾燥装置１０において、乾燥対象物１に添付された無線ＩＣタグ２のコード情報を読取手段３にて読み取り、制御手段４ａから特小無線通信手段６ａを経由して、中継装置２０の特小無線通信手段６ｂに送信され、中継装置２０が具備している制御手段４ｂにて処理が開始される。
【００２４】
制御手段４ｂが受け取った無線ＩＣタグ２のコード情報は、中継装置２０に具備されたＬＡＮ通信手段７ａと、ルータ３０に具備されたＬＡＮ通信手段７ｂ、および、ＷＡＮ通信手段８を経由して、インターネット上に存在する名前解決サーバ４０に送信される。
【００２５】
名前解決サーバ４０は、無線ＩＣタグ２のコード情報に対応した詳細な情報がどこのサーバ（製品情報サーバ５０）に存在するかを返答して、先ほどとは逆の経路、つまり、ＷＡＮ通信手段８、ＬＡＮ通信手段７ｂ、ＬＡＮ通信手段７ａという経路で制御手段４ｂに伝えられる。
【００２６】
ただし、サーバ設置については上記に限る理由はなく、名前解決サーバ４０、製品情報サーバ５０が一体化した情報サーバであって、無線ＩＣタグ２のコード情報より直接的に対応する詳細な情報を提供しても構わない。
【００２７】
制御手段４ｂはこの名前解決サーバ４０から得られた製品情報サーバ５０にアクセスして、対象物の詳細情報を取得する。対象物に関する詳細な情報とは、一般的にはかなり多量の情報であり、例えば、生産国、製造元、販売元、製品名、製品型番、値段、製造年月日、素材、特徴といった流通に関することから、漂白の可否、アイロンかけの可否、日向で干してよいか否か、耐熱温度、乾燥機で乾燥させて良いか否かといった取り扱いに関するような情報などが含まれている。
【００２８】
つまり、ここで述べているような乾燥装置１０にとって不必要な情報が圧倒的に多く、乾燥装置で乾燥可能か否か、あるいは、乾燥時の耐熱温度は何度であるかといった情報だけを情報を選別（フィルタリング）することが望まれる。
【００２９】
選別方法にはいろいろな手法が考えられ、製品情報サーバ５０が乾燥に関する情報だけを選別することも技術的には可能であり、乾燥装置１０に特化したような情報だけを製品情報サーバ５０が選別するという個別対応であってもかまわない。ただしこのような製品情報サーバ５０による個別対応が必ずしも可能でない場合もあるので、乾燥対象物１に関する詳細な情報を製品情報サーバ５０から一旦すべて受け取ってから、乾燥に関して必要な情報だけを、中継装置２０で選別させることが好ましい。
【００３０】
もちろん逐次、製品情報サーバ５０からメーカなど項目ごとの情報を受け取りながら、不要な情報を破棄していき、乾燥に関して必要な情報だけを中継装置２０で選別させても構わない。
【００３１】
なお、詳細な情報から特定の情報だけを選別する進め方については、一般的なデータベース検索プログラムの使用を想定しており、そのデータベース検索プログラムに応じたデータ形式変換なども中継装置２０で暗黙のうちに実施されるものとする。
【００３２】
このような必要とする情報の選別は、いろいろな過程で実施できるものではあるが、特に、中継装置２０から製品情報サーバ５０までの経路はＡＤＳＬ、光ファイバのように帯域の太い通信経路であるのに対して、中継装置２０から乾燥装置１０の経路が特小無線通信であった場合には、中継装置２０が必要な情報だけを選別して、特小無線通信では最小限の必要情報だけを通信することが最も好ましいと言える。
【００３３】
また、中継装置２０と乾燥装置１０との間の通信に、ここで特に特小無線通信を例としてあげている理由は、現在の家庭内でのネットワーク機器（ネットワーク家電）がこの特小無線通信のインターフェイスを一般的に使用しているからである。
【００３４】
既に、この特小無線通信のインターフェイスを介して、例えば外部の携帯電話から操作されるといったことが情報家電分野、あるいはネット家電分野で行われているのが現状であり、外部からの制御のためにすでに備わっている（普及している）特小無線通信のインターフェイスをそのまま流用して、無線ＩＣタグ２の情報解析にも利用することが最も好ましい。
【００３５】
もちろん、中継装置２０と乾燥装置１０との間には、特小無線通信以外にもＰＬＣと呼ばれるパワーラインを用いた通信、あるいは、ＲＳ２３２Ｃに代表されるシリアル通信というインターフェイスも使用されることもありうるが、いずれにしても帯域の狭い通信路であることが多い。このような帯域の狭い通信路に製品情報サーバから取得した多量の詳細情報を送り込むことは好ましくなく、予めネットワーク機器が必要とする最低限の情報だけを選別して送り込むべきである。
【００３６】
加えて、中継装置２０はもともと、外部から家庭内のネットワーク機器を制御するためのインターフェイスとして設置されるものであり、当然ながら乾燥装置１０だけではなく、家庭内に存在するネットワーク機器と複数、同時に通信する能力が必要で、そのため、メモリーやＣＰＵパワーが十分に強力であることが多く、ここまで述べてきたような情報の選別を中継装置２０で行わせることは負荷分散的な観点でも非常に現実的である。
【００３７】
仮にネットワーク機器と中継装置の間が、特小無線通信ではなく無線ＬＡＮなどの高帯域の通信路が用いられていたとしても、中継装置２０で選別することが好ましい。その理由として、ネットワーク機器として乾燥装置１０ではなく、アイロン、ストーブ、電気毛布などのように、情報処理能力が要求されないような機器であった場合には、低機能で能力の低いＣＰＵしか搭載されていないこともあり、このような場合を含めると、情報の選別をネットワーク機器側で行うことは負荷的に厳しく、こういった観点からも中継装置２０にて行うことが好ましい。
【００３８】
（実施の形態２）
実施の形態１の説明では、乾燥装置（ネットワーク機器）１０が必要とする情報の種類を、あらかじめ中継装置２０が認識しているという前提で説明してきたが、以下、図２を用いてネットワーク機器ごとに必要とする情報の中継装置２０への登録方法に関する動作を説明する。
【００３９】
なお、図２においては、簡略化のため、乾燥装置１０と中継装置２０だけを記述してあるが、実際にはルータ３０、名前解決サーバ４０、製品情報サーバ５０も存在しているものとする。
【００４０】
１）乾燥装置１０は、中継装置２０に乾燥の可否、耐熱温度のように乾燥に関する情報が必要であることを申請する。
【００４１】
２）中継装置２０は、乾燥装置１０が必要とする情報を登録する。
【００４２】
３）乾燥装置１０の読取手段３で読み取った無線ＩＣタグ２のコード情報を中継装置２０が受ける。
【００４３】
４）中継装置２０は、ルータ３０経由で名前解決サーバ４０にて製品情報サーバ５０のアドレスを得て、製品情報サーバ５０にアクセスしてコード情報に対応した詳細情報を収集する。
【００４４】
５）中継装置２０は、乾燥の可否、耐熱温度のような乾燥に関する情報だけを選別して、乾燥装置１０に送る。
【００４５】
６）乾燥装置１０はその情報に従って、制御手段４ａより乾燥促進手段５を制御する。
【００４６】
ただし、以上は一例であって、例えば、乾燥装置１０の読取手段３で読み取った無線ＩＣタグ２のコード情報を中継装置２０に送る際に、必要な情報は乾燥の可否、耐熱温度のように乾燥に関する情報であるという申請を同時に行っても構わないし、中継装置２０以外のところで情報の選別が行われても問題はなく、狭帯域の通信部分には必要な情報だけが通信されるのであれば、いかなる方法でも問題にはならない。
【００４７】
さて、実施の形態２ではネットワーク機器ごとに必要とする情報の中継装置２０への登録方法に関する動作を説明してきたが、これら一連の手続きを経て入手した詳細情報、もしくは、ネットワーク機器に応じて選別した情報を、中継装置２０の制御手段４ｂが具備した記憶手段（図示しない）にて記憶しておくことも有用である。つまり一旦取得した情報に関しては、それ以降、名前解決サーバ４０、製品情報サーバ５０に再度アクセスして詳細な情報を取得する手間がなくなり、インターネットへの無駄なパケット送信もなくなる。
【００４８】
この際、記憶手段で詳細な情報をすべて記憶しておくと、その都度、必要情報の選別は必要ながら、異なるネットワーク機器からの要望に対応することが出来るので、このようにしても構わない。ここのネットワーク機器のために選別した情報だけを記憶しておけば、それ以後は選別が不要になるので、そのようにしても構わない。
【００４９】
中継装置２０だけではなく、乾燥装置１０の制御手段４ａが記憶手段（図示しない）を具備して、同様に一旦取得した情報に関しては記憶しておくということでも、もちろん構わない。
【００５０】
ここまでの説明とは異なり、ネットワーク機器が乾燥装置のような単一機能の装置でなく、洗濯脱水乾燥装置のような場合も考えられる。この場合には、動作モードに応じて必要とする情報が刻々と変化していくことがある。すなわち、洗濯モードの時には洗濯に関して必要な情報（洗濯の可否、弱洗、強洗）であるし、脱水モードの時には脱水に関して必要な情報（脱水の可否、生乾きで終えるか否か）であるし、乾燥モードの時には乾燥に関して必要な情報（乾燥の可否、乾燥最適温度あるいは耐熱温度）である。このそれぞれのモードに切り替わる時点で、ネットワーク機器（ここでは洗濯脱水乾燥機）が中継装置２０に対して、その都度に必要な情報を申請して、中継装置２０がそれを登録するといったことも有用な方法である。
【００５１】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【００５２】
なお、ネットワーク機器として乾燥装置や洗濯脱水乾燥装置を例にあげて説明したが、これにかぎるものでなく、ネットワークで接続された電気機器や設備機器などであればよい。
【産業上の利用可能性】
【００５３】
以上のように、本発明にかかる中継装置とそのプログラムは、対象物に添付された無線ＩＣタグのコード情報を読み取る読取手段を具備したネットワーク機器から前記コード情報を受信し、前記コード情報を元にネットワーク上の情報サーバにアクセスして前記対象物に関する詳細な情報を取得し、前記詳細な情報より前記ネットワーク機器にとって必要とされる情報だけを選別して、前記ネットワーク機器に伝達するようにした。
【００５４】
これにより、情報サーバにアクセスする通信経路の一部に、例えば特小無線通信を用いたような帯域の非常に狭い通信部分が存在した場合でも、その通信部分を通過する情報を必要最低限に絞り込むことにより、その通信部分がボトルネックとならず、システム全体の応答性能が著しく落ちることもなく、あるいはまた、一定時間内に処理できる対象物が非常に少なくなってしまうことも回避できる。
【図面の簡単な説明】
【００５５】
【図１】本発明の無線ＩＣタグ情報サーバの中継装置とそのシステムの構成の一例を示す図
【図２】本発明の無線ＩＣタグ情報サーバの中継装置への必要情報登録の一例を示す図
【符号の説明】
【００５６】
１  乾燥対象物（対象物）
２  無線ＩＣタグ
３  読取手段
４ａ、４ｂ  制御手段
５  乾燥促進手段
６ａ、６ｂ  特小無線通信手段
７ａ、７ｂ  ＬＡＮ通信手段
８  ＷＡＮ通信手段
１０  乾燥装置（ネットワーク機器）
２０  中継装置
３０  ルータ
４０  名前解決サーバ
５０  製品情報サーバ（情報サーバ）
【図１】
2006217323.tif 000003
【図２】
2006217323.tif 000004